(57)【要約】【課題】  カーエアコンに用いられる蒸発器において、後熱交換部から前熱交換部へのターン部分における冷媒の圧力損失を低減させる。【解決手段】  蒸発器1は、互いに隣接する前熱交換部1Aおよび後熱交換部1Bを有し、各熱交換部1A,1Bは、上下１対のヘッダ2と、上下端が上下ヘッダ2に接続された多数の冷媒流通部3とを備える。冷媒入口4から最も離れた位置にある後熱交換部1Bの上向き冷媒流通部群3Uに流入する冷媒が、該冷媒流通部群3Uを構成する複数の冷媒流通部3に隣接する前熱交換部1Aの複数の冷媒流通部3に分流してこれらの内部を上向きに流れるように、前後熱交換部1A,1Bの下ヘッダ2における前記複数の冷媒流通部3に対応する部分どうしを分流用連通手段11により連通させる。【選択図】  図７
2004219069.tif 000002
【特許請求の範囲】
【請求項１】
互いに隣接する空気入側の前熱交換部および空気出側の後熱交換部を有し、各熱交換部は、左右方向にのびる上下１対のヘッダと、左右方向に間隔をおいて並べられかつ上端が上ヘッダに、下端が下ヘッダにそれぞれ接続された多数の冷媒流通部とを備え、後熱交換部の上下いずれかのヘッダの一端に冷媒入口が、前熱交換部の上下いずれかのヘッダの一端に冷媒出口がそれぞれ設けられ、後熱交換部の上または下ヘッダの他端側部分と前熱交換部の上または下ヘッダの他端側部分とが連通手段によって連通させられている蒸発器であって、
後熱交換部の上下ヘッダのうち少なくとも一方の内部には、後熱交換部の冷媒流通部内における冷媒の流れの向きを複数の冷媒流通部ごとに上下反転させるように該ヘッダ内を左右方向に区画する垂直仕切が設けられており、
冷媒入口から最も離れた位置にある後熱交換部の上向き冷媒流通部群に流入する冷媒が、該冷媒流通部群を構成している後熱交換部の複数の冷媒流通部に隣接する前熱交換部の複数の冷媒流通部に分流してこれらの内部を上向きに流れるように、前後熱交換部の下ヘッダにおける前記複数の冷媒流通部に対応する部分どうしが分流用連通手段によって連通させられている、蒸発器。
【請求項２】
互いに隣接する空気入側の前熱交換部および空気出側の後熱交換部を有し、各熱交換部は、左右方向にのびる上下１対のヘッダと、左右方向に間隔をおいて並べられかつ上端が上ヘッダに、下端が下ヘッダにそれぞれ接続された多数の冷媒流通部とを備え、後熱交換部の上下いずれかのヘッダの一端に冷媒入口が、前熱交換部の上下いずれかのヘッダの一端に冷媒出口がそれぞれ設けられ、後熱交換部の上または下ヘッダの他端側部分と前熱交換部の上または下ヘッダの他端側部分とが連通手段によって連通させられている蒸発器であって、
後熱交換部の上下ヘッダのうち少なくとも一方の内部には、後熱交換部の冷媒流通部内における冷媒の流れの向きを複数の冷媒流通部ごとに上下反転させるように該ヘッダ内を左右方向に区画する垂直仕切が設けられており、
冷媒入口から最も離れた位置にある後熱交換部の下向き冷媒流通部群に流入する冷媒が、該冷媒流通部群を構成している後熱交換部の複数の冷媒流通部に隣接する前熱交換部の複数の冷媒流通部に分流してこれらの内部を下向きに流れるように、前後熱交換部の上ヘッダにおける前記複数の冷媒流通部に対応する部分どうしが分流用連通手段によって連通させられている、蒸発器。
【請求項３】
前後熱交換部の上下ヘッダおよび冷媒流通部が、片面に上下１対のヘッダ形成用凹部と上下ヘッダ形成用凹部に上下端が連なる冷媒流通部形成用凹部とが前後に１組ずつ設けられた対をなすプレートをこれらの凹部どうしが向かい合わせになるように接合するとともに、多数の前記プレート対を重ねてこれらのヘッダ形成用凹部の底壁どうしを接合することによって形成され、冷媒を通過させるべき位置に配されるヘッダ形成用凹部の底壁には冷媒通過孔があけられており、垂直仕切が、冷媒通過孔があけられていない後側の上下ヘッダ形成用凹部の底壁によって形成されている、請求項１または２記載の蒸発器。
【請求項４】
前後熱交換部の上下ヘッダが、上下１対のタンク内の前後２つのタンク室によって形成され、前後熱交換部の冷媒流通部が、上下端が上下タンクの前後タンク室に接続された前後２列の多数の冷媒流通部形成用管によって形成されており、垂直仕切が、上下タンクの後タンク室を左右方向に区画するように設けられた壁によって形成されている、請求項１または２記載の蒸発器。
【請求項５】
請求項１〜４のいずれか１つに記載の蒸発器を備えている、カーエアコン。
【発明の詳細な説明】
【技術分野】
【０００１】
本発明は、蒸発器および該蒸発器を備えたカーエアコンに関する。
【０００２】
この明細書において、前後は空気流れ方向を基準とし、前とは空気入側を、後とは空気出側をいうものとする。また、左右は、前から見た場合の左右をいうものとする。
【背景技術】
【０００３】
カーエアコンの場合、蒸発器で冷却された空気は、複数の吹き出し口から車内に吹き出されるが、通常、蒸発器の左半部を通過した空気は左側（例えば運転席側）の吹き出し口から、蒸発器の右半部を通過した空気は右側（例えば助手席側）の吹き出し口から車内に吹き出されるため、前者の空気と後者の空気との間で温度差があると、乗員に不快感を与えることがある。近年、蒸発器と吹き出し口との距離が短くなる傾向にあり、上記の問題がより顕在化している。また、上述のような空気温度差の問題は、蒸発器の左右方向の寸法が大きくなる程、顕著に現れる。
【０００４】
そこで、蒸発器の左右各半部を通過した空気の温度が均一になるように、特に蒸発器内における冷媒の流通パターンについて、従来より様々な工夫が凝らされている。図１３は、その一例を示すものであって、同図に示された蒸発器(500)は、互いに隣接する前熱交換部(500A)および後熱交換部(500B)を有している。各熱交換部(500A)(500B)は、左右方向にのびる上下１対の水平ヘッダ(502)と、左右方向に間隔をおいて並べられかつ上端が上ヘッダ(502)に、下端が下ヘッダ(502)にそれぞれ接続された多数の垂直冷媒流通部(503)とを備えている。後熱交換部(500B)の上ヘッダ(502)の左端に冷媒入口(504)が、前熱交換部(500A)の上ヘッダ(502)の左端に冷媒出口(505)がそれぞれ設けられ、前後熱交換部(500A)(500B)の上ヘッダ(502)の右端側部分どうしが連通管部(506)によって連通させられている。そして、後熱交換部(500B)の左半部の冷媒流通部(503)内における冷媒の流れが下向き、同右半部の冷媒流通部(503)内における冷媒の流れが上向きとなるように、後熱交換部(500B)の上ヘッダ(502)内が垂直仕切(502A)によって左右２つに区画されている。また、前熱交換部(500A)の右半部の冷媒流通部(503)内における冷媒の流れが下向き、同左半部の冷媒流通部(503)内における冷媒の流れが上向きとなるように、前熱交換部(500A)の上ヘッダ(502)内が垂直仕切(502A)によって左右２つに区画されている。
【特許文献１】特開平１０−１７００９８号公報
【発明の開示】
【０００５】
本発明の目的は、カーエアコンに用いられる蒸発器において、後熱交換部から前熱交換部へのターン部分における冷媒の圧力損失を低減させることにある。
【０００６】
本発明による蒸発器は、互いに隣接する空気入側の前熱交換部および空気出側の後熱交換部を有し、各熱交換部は、左右方向にのびる上下１対のヘッダと、左右方向に間隔をおいて並べられかつ上端が上ヘッダに、下端が下ヘッダにそれぞれ接続された多数の冷媒流通部とを備え、後熱交換部の上下いずれかのヘッダの一端に冷媒入口が、前熱交換部の上下いずれかのヘッダの一端に冷媒出口がそれぞれ設けられ、後熱交換部の上または下ヘッダの他端側部分と前熱交換部の上または下ヘッダの他端側部分とが連通手段によって連通させられている蒸発器であって、後熱交換部の上下ヘッダのうち少なくとも一方の内部には、後熱交換部の冷媒流通部内における冷媒の流れの向きを複数の冷媒流通部ごとに上下反転させるように該ヘッダ内を左右方向に区画する垂直仕切が設けられており、冷媒入口から最も離れた位置にある後熱交換部の上向き冷媒流通部群に流入する冷媒が、該冷媒流通部群を構成している後熱交換部の複数の冷媒流通部に隣接する前熱交換部の複数の冷媒流通部に分流してこれらの内部を上向きに流れるように、前後熱交換部の下ヘッダにおける前記複数の冷媒流通部に対応する部分どうしが分流用連通手段によって連通させられているものである。
【０００７】
また、本発明による他の蒸発器は、互いに隣接する空気入側の前熱交換部および空気出側の後熱交換部を有し、各熱交換部は、左右方向にのびる上下１対のヘッダと、左右方向に間隔をおいて並べられかつ上端が上ヘッダに、下端が下ヘッダにそれぞれ接続された多数の冷媒流通部とを備え、後熱交換部の上下いずれかのヘッダの一端に冷媒入口が、前熱交換部の上下いずれかのヘッダの一端に冷媒出口がそれぞれ設けられ、後熱交換部の上または下ヘッダの他端側部分と前熱交換部の上または下ヘッダの他端側部分とが連通手段によって連通させられている蒸発器であって、後熱交換部の上下ヘッダのうち少なくとも一方の内部には、後熱交換部の冷媒流通部内における冷媒の流れの向きを複数の冷媒流通部ごとに上下反転させるように該ヘッダ内を左右方向に区画する垂直仕切が設けられており、冷媒入口から最も離れた位置にある後熱交換部の下向き冷媒流通部群に流入する冷媒が、該冷媒流通部群を構成している後熱交換部の複数の冷媒流通部に隣接する前熱交換部の複数の冷媒流通部に分流してこれらの内部を下向きに流れるように、前後熱交換部の上ヘッダにおける前記複数の冷媒流通部に対応する部分どうしが分流用連通手段によって連通させられているものである。
【０００８】
このように、後熱交換部において冷媒入口から最も離れた位置にある上向きまたは下向き冷媒流通部群に流入する冷媒を、分流用連通手段を介して、該冷媒流通部群を構成している後熱交換部の複数の冷媒流通部に隣接する前熱交換部の複数の冷媒流通部に分流するようにすれば、冷媒の圧力損失を低減させることができる。
【０００９】
なお、上記において、冷媒入口から最も離れた上向きまたは下向き冷媒流通部群を構成している後熱交換部の複数の冷媒流通部と、これらに隣接する前熱交換部の複数の冷媒流通部とは、互いに独立したものとする他、互いに連通するように一体化されたものとすることも可能である。後者によれば、後熱交換部から前熱交換部へのターン部分において、冷媒を蒸発器のほぼ幅全体を使って流すことが可能となるため、冷媒の圧損を更に低減させることができる。
【００１０】
本発明による蒸発器において、前後熱交換部の上下ヘッダおよび冷媒流通部が、片面に上下１対のヘッダ形成用凹部と上下ヘッダ形成用凹部に上下端が連なる冷媒流通部形成用凹部とが前後に１組ずつ設けられた対をなすプレートをこれらの凹部どうしが向かい合わせになるように接合するとともに、多数の前記プレート対を重ねてこれらのヘッダ形成用凹部の底壁どうしを接合することによって形成され、冷媒を通過させるべき位置に配されるヘッダ形成用凹部の底壁には冷媒通過孔があけられており、垂直仕切が、冷媒通過孔があけられていない後側の上下ヘッダ形成用凹部の底壁によって形成されている場合がある。
【００１１】
また、本発明による蒸発器において、前後熱交換部の上下ヘッダが、内部が前後２つのタンク室に区画された上下１対のタンクの前後タンク室によって形成され、前後熱交換部の冷媒流通部が、上下端が上下タンクの前後タンク室に接続された前後２列の多数の冷媒流通部形成用垂直管によって形成されており、垂直仕切が、上下タンクの後タンク室を左右方向に区画するように設けられた垂直壁によって形成されている場合もある。
【００１２】
本発明には、上述した本発明による蒸発器を備えているカーエアコンも含まれる。
【発明を実施するための最良の形態】
【００１３】
図１〜６は、第１の参考例を示すものである。図１および２に示すように、カーエアコン用蒸発器(1)は、互いに隣接する空気入側の前熱交換部(1A)および空気出側の後熱交換部(1B)を有している。前後各熱交換部(1A)(1B)は、左右方向にのびる上下１対のヘッダ(2)と、左右方向に間隔をおいて並べられかつ上端が上ヘッダ(2)に、下端が下ヘッダ(2)にそれぞれ接続された１７個の垂直冷媒流通部(3)とを備えている。後熱交換部(1B)の上ヘッダ(2)の左端に冷媒入口(4)が、前熱交換部(1A)の上ヘッダ(2)の左端に冷媒出口(5)がそれぞれ設けられている。前後熱交換部(1A)(1B)の上ヘッダ(2)の右端側部分どうしが連通管部(6)（連通手段）によって連通させられている。
【００１４】
後熱交換部(1B)の上下ヘッダ(2)内には、後熱交換部(1B)の冷媒流通部内における冷媒の流れの向きを４個の冷媒流通部ごとに上下反転させて、後熱交換部(1B)の左半部と右半部とに上向き冷媒流通部群(3U)を１群ずつ形成するように該ヘッダ(2)内を左右方向に区画する垂直仕切(21)が設けられている。これにより、後熱交換部(1B)において、上向き冷媒流通部群(3U)が、冷媒入口(4)に近い方から数えて第２群目と第４群目とに形成され、下向き冷媒流通部群(3D)が、冷媒入口(4)に近い方から数えて第１群目と第３群目とに形成されている。上向き冷媒流通部群(3U)は４個または５個の冷媒流通部(3)によって構成され、下向き冷媒流通部群(3D)は４個の冷媒流通部(3)によって構成されている。
【００１５】
また、前熱交換部(1A)の上ヘッダ(2)内には、前熱交換部(1A)の右側の８個の冷媒流通部(3)内における冷媒の流れが下向き、残りの９個の冷媒流通部(3)内における冷媒の流れが上向きとなるように、該ヘッダ(2)内を左右２つに区画する垂直仕切(21)が設けられている。
【００１６】
図１に示すように、前後熱交換部(1A)(1B)における左右に隣り合う冷媒流通部(3)どうしの間が、それぞれ空気流通部(7)となされている。空気流通部(7)には、アウターフィン(8)が配置されている。
【００１７】
前後熱交換部(1A)(1B)の上下ヘッダ(2)および冷媒流通部(3)は、図１および図３〜６に示すように、上下１対のヘッダ形成用凹部(102)と上下ヘッダ形成用凹部(102)に上下端が連なる冷媒流通部形成用凹部(103)とが前後に１組ずつ設けられた対をなすプレート(100)をこれらの凹部(102)(103)どうしが向かい合わせになるように接合するとともに、多数の前記プレート(100)対を重ねてこれらのヘッダ形成用凹部(102)の底壁(102A)どうしを接合することによって形成されている。冷媒を通過させるべき位置に配されるヘッダ形成用凹部(102)の底壁(102A)には冷媒通過孔(104)があけられている。後熱交換部(1B)の上下ヘッダ(2)の垂直仕切(21)は、冷媒通過孔があけられていない後側の上下ヘッダ形成用凹部(102)の底壁(102A)によって形成されている。前熱交換部(1A)の上ヘッダ(2)の垂直仕切(21)は、冷媒通過孔があけられていない前側の上ヘッダ形成用凹部(102)の底壁(102A)によって形成されている。プレート(100)は、通常、両面にろう材がクラッドされたアルミニウムまたはアルミニウム合金板から形成され、対をなすプレート(100)どうしは、通常、ろう付けによって接合される。隣り合うプレート(100)対の長さ中間どうしの間に、アウターフィン(8)が介在され、両プレート(100)の外面に接合されている。左右両端に位置するプレート(100)の外側には、アウターフィン(8)を介してエンドプレート(110)が接合されている。エンドプレート(110)も、通常、片面または両面にろう材がクラッドされたアルミニウムまたはアルミニウム合金板から形成され、左右両端のプレート(100)外面にろう付けによって接合される。
【００１８】
図３は、通常のプレート(100)対を示すものである。これらのプレート(100)は、前後それぞれの組の上下ヘッダ形成用凹部(102)の底壁(102A)に、冷媒通過孔(104)を有している。両プレート(100)の前後各１組の冷媒流通部形成用凹部(103)によって形成される前後２つの冷媒流通部(3)内には、波板状のインナーフィン(9)が介在されている。インナーフィン(9)は、通常、アルミニウムまたはアルミニウム合金製波形板から形成され、両プレート(100)内面にろう付けによって接合される。
【００１９】
図４は、ヘッダ(2)の垂直仕切(21)に対応する位置に配されるプレート(100)対を示すものである。図４において、一方のプレート(100)の４つのヘッダ形成用凹部(102)のうち後側の上ヘッダ形成用凹部(102)の底壁(102A)には、流体通過孔(104)があけられておらず、この底壁(102A)によって、後熱交換部(1B)の上ヘッダ(2)の垂直仕切(21)が形成されている。他の垂直仕切(21)も、上記と同様にして形成されたものである。
【００２０】
図５は、連通管部(6)に対応する位置に配されるプレート(100)対を示すものである。図５において、一方のプレート(100)の内面には、前後２つの上ヘッダ形成用凹部(102)どうしを連通させるように前後方向にのびる連通管部形成用凹部(106)が形成されている。この一方のプレート(100)の連通管部形成用凹部(106)と、これに対向する他方のプレート(100)の内面部分とによって、連通管部(6)が形成されている。なお、他方のプレート(100)にも上記と同様の連通管部形成用凹部を形成し、両プレート(100)の連通管部形成用凹部によって、連通管部を形成するようにしてもよい。
【００２１】
なお、この参考例では、連通管部(6)は、後熱交換部(1B)の右側の上向き冷媒流通部群(3U)を構成する５個の冷媒流通部(3)に対応して、全部で５個設けられているが、冷媒の圧力損失が問題とならない範囲で、その数を減らすようにしてもよい。また、この参考例では、プレート(100)対の凹部(106)を利用した連通管部(6)によって、前後熱交換部(1A)(1B)の上ヘッダ(2)どうしを連通させているが、これに代えて、例えば、エンドプレート内に、上ヘッダ(2)の右端どうしを連通させる連通管部を設けるようにしてもよい。このような連通管部を備えたエンドプレートは、例えば、片面の上端部に前後方向にのびる連通管部形成用凹部を有する１対のプレートを、これらの凹部どうしが向かい合わせになるように接合することによって形成することができる。さらに、この参考例では、前後熱交換部(1A)(1B)の上ヘッダ(2)の右端側部分どうしが連通管部(6)によって連通させられているが、冷媒流れのパターンによっては、後熱交換部(1B)の上ヘッダ(2)と前熱交換部(1A)の下ヘッダ(2)の右端どうし、あるいは後熱交換部(1B)の下ヘッダ(2)と前熱交換部(1A)の上ヘッダ(2)の右端どうしを、連通手段によって連通させる必要が生じる場合もある。このような場合、エンドプレート内に、前記ヘッダの右端どうしを連通させるように斜め方向にのびる連通管部を設ければよい。該エンドプレートは、例えば、片面に斜め方向にのびる連通管部形成用凹部を有する１対のプレートを、これらの凹部どうしが向かい合わせになるように接合することによって形成することができる。
【００２２】
図６は、左端のプレート(100)、左のエンドプレート(110)、アウターフィン(8)および冷媒流通パイプ接続部材取付用プレート(10)を示すものである。図６において、プレート(100)は、図３に示すプレート(100)と同じものであり、後の上ヘッダ形成用凹部(102)の底壁(102A)にあけられた冷媒通過孔(104)が冷媒入口(4)となされ、前の上ヘッダ形成用凹部(102)の底壁(102A)にあけられた冷媒通過孔(104)が冷媒出口(5)となされる。エンドプレート(110)は、その外面に、プレート(100)の４つのヘッダ形成用凹部(102)に対応するようにこれらの凹部(102)と同様の凹部(112)が形成されている。エンドプレート(110)の上側の前後２つの凹部(112)の底壁(112A)には、冷媒入口(4)および冷媒出口(5)それぞれに重なるように孔(114)があけられている。一方、エンドプレート(110)の下側の前後２つの凹部(112)の底壁(112A)には孔があけられておらず、これらの底壁(112A)が前後熱交換部(1A)(1B)の下ヘッダ(2)の左端壁を構成している。アウターフィン(8)は、通常、アルミニウムまたはアルミニウム合金製波形板によって形成され、プレート(100)とエンドプレート(110)の対向面にろう付けによって接合される。冷媒流通パイプ接続部材取付用プレート(10)は、通常、アルミニウムまたはアルミニウム合金板によって形成され、エンドプレート(110)外面の上端部にろう付けによって接合される。上記プレート(10)は、エンドプレート(110)の上側の前後２つの凹部の底壁(112A)にあけられた孔(114)に通じる前後２つの孔(10A)を有し、その外面に、図示しない冷媒流通パイプ接続部材が溶接等によって接合される。なお、右端のプレート(100)、右のエンドプレート(110)、およびこれらの間に介在されるアウターフィン(8)も、図６に示したプレート(100)、エンドプレート(110)およびアウターフィン(8)とほぼ同様のものである。
【００２３】
カーエアコンのスイッチがオンになっていて、かつコンプレッサのクラッチ機構がエンジンのクランクシャフトにつながっている場合、冷媒は、図２に示すように、上記蒸発器(1)内を次のように流れる。即ち、冷媒入口(4)から蒸発器(1)内に導入された冷媒は、後熱交換部(1B)の上下ヘッダ(2)を介して、後熱交換部(1B)の左側の下向き冷媒流通部群(3D)、左側の上向き冷媒流通部群(3U)、右側の下向き冷媒流通部群(3D)、および右側の上向き冷媒流通部群(3U)を順次流れた後、連通管部(6)を経て前熱交換部(1A)に至り、前熱交換部(1A)の上下ヘッダ(2)を介して、前熱交換部(1A)の右側の下向き冷媒流通部群(3D)および左側の上向き冷媒流通部群(3U)を順次流れ、冷媒出口(5)から排出される。上記において、内部を流れる冷媒の温度は、後熱交換部(1B)では冷媒入口(4)に近い冷媒流通部群ほど低く、前熱交換部(1A)では冷媒出口(5)に近い冷媒流通部群ほど高くなっているため、蒸発器(1)の左右各半部を通過した空気(A)の温度はほぼ均一なものとなされる。また、この参考例では、冷媒が過熱状態となる部位、即ち、いわゆるスーパーヒート部(30)は、通常、前熱交換部(1A)の左側の上向き冷媒流通部群(3U)を構成する９個の冷媒流通部(3)のうち右側に位置する数個の冷媒流通部(3)に生じる。そして、これらスーパーヒート部(30)に対応するように、後熱交換部(1B)の左側の上向き冷媒流通部(3U)群が配置されている。
【００２４】
一方、カーエアコンのスイッチがオンの状態で、空気の冷え過ぎを防止するためにコンプレッサのクラッチ機構が自動的に切れた場合、空気(A)は引き続き蒸発器(1)を通過させられるが、蒸発器(1)への冷媒の供給は一時的にストップする。このように蒸発器内における冷媒の流れが止まった場合、図１３に示す従来の蒸発器(500)では、その後熱交換部(500B)の右半部に配された上向き冷媒流通部群(503U)に相対的に温度の低い冷媒が多く滞留し、同左半部に配された下向き冷媒流通部群(503D)には冷媒がそれ程滞留しないため、蒸発器(500)の左右各半部を通過する空気の温度に差が生じていた。これに対して、図２に示す蒸発器(1)の場合、後熱交換部(1B)において、左右それぞれの側に位置する上向き冷媒流通部群(3U)に、多くの冷媒が滞留して、後熱交換部(1B)の左半部と右半部との間でほとんど温度差が生じないようになっている上、前熱交換部(1A)のスーパーヒート部(30)と空気流れ方向に重なるように、後熱交換部(1B)の左側の上向き冷媒流通部群(3U)が配置されているので、蒸発器(1)の左右各半部を通過する空気の温度がほぼ均一に保たれる。
【００２５】
図７および８は、本発明の第１の実施形態を示すものである。この実施形態の蒸発器は、以下の点を除いて上記参考例の蒸発器と同じである。まず、図７に示すように、前後各熱交換部(1A)(1B)の垂直冷媒流通部(3)の数は２１である。後熱交換部(1B)における左側の下向き冷媒流通部群(3D)、左側の上向き冷媒流通部群(3U)、右側の下向き冷媒流通部群(3D)、右側の上向き冷媒流通部群(3U)は、それぞれ５個、６個、６個、４個の冷媒流通部(3)によって構成されている。
【００２６】
そして、後熱交換部(1B)の右側の上向き冷媒流通部群(3U)に流入する冷媒が、該冷媒流通部群(3U)を構成している後熱交換部(1B)の４個の冷媒流通部(3)に隣接する前熱交換部(1A)の４個の冷媒流通部(3)に分流してこれらの内部を上向きに流れるように、前後熱交換部(1A)(1B)の下ヘッダ(2)における前記複数の冷媒流通部(3)に対応する部分どうしが分流用連通管部(11)（分流用連通手段）によって連通させられている。これにより冷媒の圧力損失の低減が図られている。
【００２７】
前熱交換部(1A)では、これの右側の４個の冷媒流通部(3)内における冷媒の流れが上向き、次の８個の冷媒流通部(3)内における冷媒の流れが下向き、残りの９個の冷媒流通部(3)内における冷媒の流れが上向きとなるように、上下ヘッダ(2)内がそれぞれ垂直仕切(21)によって左右２つに区画されている。
【００２８】
図８は、連通管部(6)および分流用連通管部(11)に対応する位置に配されるプレート(100)対を示すものである。図８において、一方のプレート(100)の内面には、前後２つの上ヘッダ形成用凹部(102)どうしを連通させるように前後方向にのびる連通管部形成用凹部(106)が形成されている。この一方のプレート(100)の連通管部形成凹部(106)と、これに対向する他方のプレート(100)の内面部分とによって、連通管部(6)が形成されている。また、他方のプレート(100)の内面には、前後２つの下ヘッダ形成用凹部(102)どうしを連通させるように前後方向にのびる分流用連通管部形成用凹部(111)が形成されている。この他方のプレート(100)の分流用連通管部形成用凹部(111)と、これに対向する一方のプレート(100)の内面部分とによって、分流用連通管部(11)が形成されている。
【００２９】
図９は、本発明の第２の実施形態を示すものである。この実施形態は、以下の点を除いて第１の実施形態と同じである。図９には、第１の実施形態の図８に相当するプレート(100)対、即ち、連通管部(6)および分流用連通管部(11)に対応する位置に配されるプレート(100)対が示されている。このプレート(100)対を構成する各プレート(100)の前後２つの冷媒流通部形成用凹部(103)は、その全長にわたって互いに連通するように一体化されている。換言すれば、両プレート(100)の内面には、プレート(100)の幅に近い幅を有しかつ前後２つの冷媒流通部形成用凹部を兼ねている１つの大きな冷媒流通部形成用凹部(103A)が形成されている。つまり、この実施形態の蒸発器では、右側の上向き冷媒流通部群(3U)を構成している後熱交換部(1B)の４個の冷媒流通部(3)と、これらに隣接する前熱交換部(1A)の４個の冷媒流通部(3)とが、互いに連通するように一体化されている（図１および２参照）。この構成により、冷媒の圧力損失の更なる低減を図ることができる。また、連通管部形成凹部(106)および分流用連通管部形成用凹部(111)は、両プレート(100)に形成されている。インナーフィン(9)は、前記凹部(103A)の幅に対応した幅を有するものが用いられている。
【００３０】
図１０〜１２は、第２の参考例を示すものである。この参考例は、以下の点を除いて、第１の参考例と同じである。即ち、この参考例の蒸発器(1X)は、図１０および１１に示すように、前後熱交換部(1A)(1B)の上下ヘッダ(2)が、内部が前後２つのタンク室(121)に区画された上下１対のタンク(12)の前後タンク室(121)によって形成されている。また、前後熱交換部(1A)(1B)の冷媒流通部(3)が、上下端が上下タンク(12)の前後タンク室(121)に接続された前後２列の多数の冷媒流通部形成用垂直管(13)によって形成されている。後熱交換部(1B)の上下ヘッダ(2)の垂直仕切(21)は、上下タンク(12)の後タンク室(121)を左右方向に区画するように設けられた垂直壁(122)によって形成されている。前熱交換部(1A)の上ヘッダ(2)の垂直仕切(21)は、上タンク(12)の前タンク室(121)を左右方向に区画するように設けられた垂直壁(122)によって形成されている。
【００３１】
左右に隣り合う垂直管(13)どうしの間に、アウターフィン(8)が介在され、これらの外面に接合されている。タンク(12)、垂直管(13)およびアウターフィン(8)は、いずれもアルミニウムまたはアルミニウム合金製である。これらの部品どうしの接合は、通常、ろう付けによって行われる。
【００３２】
垂直管(13)は、左右方向の幅が前後方向の幅より狭い偏平状のものであって、図１１に示すように、平らな外面を有する左右壁(131)と、左右壁(131)にまたがりかつ互いに前後方向に間隔をおいて配された複数の垂直補強壁(132)とを備えている。垂直管(13)の内部には、前後並列状の複数の冷媒流路(133)が形成されている。
【００３３】
図１０に示すように、上下各タンク(12)内は、左右方向にのびる垂直仕切壁(120)によって前後２つのタンク室(121)に区画されている。上タンク(12)の垂直仕切壁(120)の右端部には、前後タンク室(121)の右端部どうしを連通させる連通孔(123)（連通手段）があけられている。
【００３４】
図１２は、上記蒸発器(1X)内における冷媒の流れを示すものであり、図２に示すものと同じである。即ち、冷媒入口(4)から蒸発器(1X)内に導入された冷媒は、後熱交換部(1B)の上下ヘッダ(2)を介して、後熱交換部(1B)の左側の下向き冷媒流通部群(3D)、左側の上向き冷媒流通部群(3U)、右側の下向き冷媒流通部群(3D)、および右側の上向き冷媒流通部群(3U)を順次流れた後、連通孔(123)を経て前熱交換部(1A)に至り、前熱交換部(1A)の上下ヘッダ(2)を介して、前熱交換部(1A)の右側の下向き冷媒流通部群(3D)および左側の上向き冷媒流通部群(3U)を順次流れ、冷媒出口(5)から排出される。
【００３５】
なお、上記各実施形態は例示にすぎず、特許請求の範囲に記載された本発明の要旨を逸脱しない範囲で適宜に変更を加えた上で本発明を実施することは、勿論可能である。
【図面の簡単な説明】
【００３６】
【図１】第１の参考例を示すものであって、カーエアコン用蒸発器の全体斜視図である。
【図２】図１の蒸発器内における冷媒の流れを示す図である。
【図３】図１の蒸発器の構成部品のうち、通常のプレート対を示す斜視図である。
【図４】図１の蒸発器の構成部品のうち、ヘッダの垂直仕切に対応する位置に配されるプレート対を示す斜視図である。
【図５】図１の蒸発器の構成部品のうち、連通管部に対応する位置に配されるプレート対を示す斜視図である。
【図６】図１の蒸発器の構成部品のうち、左端のプレート、左のエンドプレート、アウターフィンおよび冷媒流通パイプ接続部材取付用プレートを示す斜視図である。
【図７】本発明の第１の実施形態を示すものであって、蒸発器内における冷媒の流れを示す図である。
【図８】第１の実施形態による蒸発器の構成部品のうち、連通管部および分流用連通管部に対応する位置に配されるプレート対を示す斜視図である。
【図９】本発明の第２の実施形態を示すものであって、連通管部および分流用連通管部に対応する位置に配されるプレート対の斜視図である。
【図１０】第２の参考例を示すものであって、カーエアコン用蒸発器の全体斜視図である。
【図１１】図１０のXI−XI線に沿う蒸発器の部分拡大水平断面図である。
【図１２】図１０の蒸発器内における冷媒の流れを示す図である。
【図１３】従来の蒸発器内における冷媒の流れを示す図である。
【符号の説明】
【００３７】
(1)(1X)：カーエアコン用蒸発器
(1A)：前熱交換部
(1B)：後熱交換部
(2)：ヘッダ
(21)：垂直仕切
(3)：冷媒流通部
(3U)：上向き冷媒流通部群
(3D)：下向き冷媒流通部群
(30)：スーパーヒート部
(4)：冷媒入口
(5)：冷媒出口
(6)：連通管部（連通手段）
(100)：プレート
(102)：ヘッダ形成用凹部
(102A)：（凹部の）底壁
(103)：冷媒流通部形成用凹部
(104)：冷媒通過孔
(11)：分流用連通管部（分流用連通手段）
(12)：タンク
(121)：タンク室
(122)：垂直壁
(123)：連通孔（連通手段）
(13)：冷媒流通部形成用垂直管
【図１】
2004219069.tif 000003
【図２】
2004219069.tif 000004
【図３】
2004219069.tif 000005
【図４】
2004219069.tif 000006
【図５】
2004219069.tif 000007
【図６】
2004219069.tif 000008
【図７】
2004219069.tif 000009
【図８】
2004219069.tif 000010
【図９】
2004219069.tif 000011
【図１０】
2004219069.tif 000012
【図１１】
2004219069.tif 000013
【図１２】
2004219069.tif 000014
【図１３】
2004219069.tif 000015